(57)【要約】【課題】駐車場に停めた車の駐車位置をその車の共同使用者が容易に知ることができるようにする。【解決手段】駐車場名と駐車位置と共同使用登録要求ＵＲＬの情報を有し、駐車場に表示されたバーコード１０と、そのバーコード１０を撮影・解読可能な利用者通信端末２０と、共同使用者通信端末３０と、それら端末とネットワークを介して接続された駐車場情報管理装置４０とを備える。駐車場情報管理装置４０は通信端末２０からの上記ＵＲＬへのアクセスにより通信端末２０に駐車位置情報と識別情報入力欄を送信し、通信端末２０から識別情報を受信すると識別情報と駐車位置情報とを組として登録し、通信端末３０からの検索要求により通信端末３０に識別情報入力欄を送信し、通信端末３０から識別情報を受信するとその識別情報と組の駐車位置情報を通信端末３０に送信する。【選択図】図１
2008234456.tif 000002
【特許請求の範囲】
【請求項１】
利用者が駐車場に停めた車の駐車位置情報をその車の共同使用者に提供する駐車場情報提供システムであって、
駐車場に表示され、駐車場名と駐車位置と共同使用登録要求ＵＲＬとがバーコード情報化されてなるバーコードと、
そのバーコードを撮影し、解読可能な利用者通信端末と、
共同使用者通信端末と、
それら利用者通信端末及び共同使用者通信端末とネットワークを介して接続された駐車場情報管理装置とによって構成され、
前記駐車場情報管理装置は、
前記利用者通信端末からの前記共同使用登録要求ＵＲＬへのアクセスにより、前記利用者通信端末に駐車位置情報と識別情報入力欄を送信する手段と、
前記利用者通信端末から識別情報を受信すると、その識別情報と前記駐車位置情報とを組として登録する手段と、
前記共同使用者通信端末からの検索要求により、前記共同使用者通信端末に識別情報入力欄を送信する手段と、
前記共同使用者通信端末から識別情報を受信すると、その識別情報と組の駐車位置情報を前記共同使用者通信端末に送信する手段とを具備することを特徴とする駐車場情報提供システム。
【請求項２】
駐車場名と駐車位置と共同使用登録要求ＵＲＬとがバーコード情報化されてなるバーコードが表示された駐車場に利用者が停めた車の駐車位置情報をその車の共同使用者に提供する駐車場情報提供方法であって、
利用者通信端末が前記バーコードを撮影し、解読して前記共同使用登録要求ＵＲＬへアクセスする過程と、
そのアクセスにより駐車場情報管理装置が前記利用者通信端末に駐車位置情報と識別情報入力欄を送信する過程と、
前記利用者通信端末が前記駐車場情報管理装置に識別情報と前記駐車位置情報を送信する過程と、
前記駐車場情報管理装置が受信した識別情報と前記駐車位置情報とを組として登録する過程と、
共同使用者通信端末からの検索要求により、前記駐車場情報管理装置が前記共同使用者通信端末に識別情報入力欄を送信する過程と、
前記共同使用者通信端末が前記駐車場情報管理装置に識別情報を送信する過程と、
前記駐車場情報管理装置が受信した識別情報と組の駐車位置情報を前記共同使用者通信端末に送信する過程とを含むことを特徴とする駐車場情報提供方法。
【請求項３】
駐車場名と駐車位置と共同使用登録要求ＵＲＬとがバーコード情報化されてなるバーコードが表示された駐車場に利用者が停めた車の駐車位置情報をその車の共同使用者の通信端末に送信する駐車場情報管理装置であって、
前記バーコードを撮影し、解読した利用者通信端末からの前記共同使用登録要求ＵＲＬへのアクセスにより、前記利用者通信端末に駐車位置情報と識別情報入力欄を送信する手段と、
前記利用者通信端末から識別情報と前記駐車位置情報を受信すると、その識別情報と駐車位置情報とを組として登録する手段と、
前記共同使用者通信端末からの検索要求により、前記共同使用者通信端末に識別情報入力欄を送信する手段と、
前記共同使用者通信端末から識別情報を受信すると、その識別情報と組の駐車位置情報を前記共同使用者通信端末に送信する手段とを具備することを特徴とする駐車場情報管理装置。
【請求項４】
駐車場を利用した利用者の要求により駐車場情報と割引サービス券情報とを利用者が指定する通信端末に転送する駐車場情報提供システムであって、
駐車場に表示され、駐車場名とサービス情報要求ＵＲＬとがバーコード情報化されてなるバーコードと、
そのバーコードを撮影し、解読可能な利用者通信端末と、
転送先通信端末と、
それら利用者通信端末及び転送先通信端末とネットワークを介して接続された駐車場情報管理装置とによって構成され、
前記駐車場情報管理装置は、
前記利用者通信端末からの前記サービス情報要求ＵＲＬへのアクセスにより、前記利用者通信端末に割引サービス券情報ＵＲＬを送信する手段と、
前記利用者通信端末からの前記割引サービス券情報ＵＲＬへのアクセスにより、割引サービス券情報と転送先メールアドレス入力欄を前記利用者通信端末に送信する手段と、
前記利用者通信端末から転送先メールアドレスを受信すると、駐車場情報と割引サービス券情報とをその転送先メールアドレスの転送先通信端末に送信する手段とを具備することを特徴とする駐車場情報提供システム。
【請求項５】
駐車場の提携店の顧客に販売促進情報と駐車場サービス情報とを配信する駐車場情報提供システムであって、
互いにネットワークを介して接続された駐車場情報管理装置と提携店情報管理装置と顧客通信端末とによって構成され、
前記駐車場情報管理装置は駐車場サービス情報のＵＲＬを前記提携店情報管理装置に送信する手段と、前記顧客通信端末からの前記ＵＲＬへのアクセスにより、前記顧客通信端末に駐車場サービス情報を送信する手段とを具備し、
前記提携店情報管理装置は販売促進情報と前記駐車場情報管理装置から受信した前記ＵＲＬとを前記顧客通信端末に送信する手段を有することを特徴とする駐車場情報提供システム。
【請求項６】
駐車場利用者に駐車経過時間と料金と駐車位置画像とを通知する駐車場情報提供システムであって、
駐車位置の画像をリアルタイムに撮像する駐車位置撮像装置と、
利用者通信端末と、
それら駐車位置撮像装置及び利用者通信端末とネットワークを介して接続された駐車場情報管理装置とによって構成され、
前記駐車情報管理装置は、
前記駐車場位置撮像装置から駐車位置画像を受信する手段と、
前記利用者通信端末からの通知条件により駐車経過時間と料金を計算する手段と、
その計算した駐車経過時間と料金を前記通知条件に基づき、前記駐車位置画像と共に前記利用者通信端末に送信する手段とを具備することを特徴とする駐車場情報提供システム。
【発明の詳細な説明】
【技術分野】
【０００１】
この発明は利用者の利便性を向上させることができる駐車場情報提供システムとその方法に関する。
【背景技術】
【０００２】
駐車場内の駐車位置情報を示すものとして２次元バーコードを駐車位置に設置し、この２次元バーコードを利用者が携帯電話機等の端末により撮影することにより、駐車位置情報を取得し、端末の表示部に自分の車の駐車位置が表示されるようにした駐車場管理システムが特許文献１に記載されている。広い駐車場に駐車した場合、駐車位置がわからなくなることがあるが、この駐車場管理システムによれば、利用者は駐車位置に速やかにたどり着くことが可能となる。
【特許文献１】特開２００４−１９９１７７号公報
【発明の開示】
【発明が解決しようとする課題】
【０００３】
しかるに、上述した従来の駐車場管理システムにおいては駐車位置情報を駐車場に車を停めた利用者に提供するものであるため、１台の車を多人数で使用しているような場合、車を停めた人以外の人は車がどこに停められているのか判らないことになる。
【０００４】
例えば法人などの定期券による駐車場の利用において、その駐車場に停められている営業車を複数の営業マンが共同で使用するような場合、一般に定期券利用者は場所を指定しないフリーアドレス契約のため、車をどこに停めたか、停めた人以外は判らないといった状況が生じる。また、個人による駐車場利用でも家族で一台の車を使用しているような場合には同様の状況が生じる。なお、駐車位置を他の共同使用者にいちいち知らせるのは面倒であり、知らせるにしても駐車位置を的確に知らせることができないといった状況が生じうるものとなっていた。
【０００５】
この発明の目的はこのような状況に鑑み、車の共同使用者が他の共同使用者が停めた車の駐車位置を的確かつ容易に知ることができるようにした駐車場情報提供システム、提供方法及び駐車場情報管理装置を提供することにある。
【課題を解決するための手段】
【０００６】
この発明によれば、利用者が駐車場に停めた車の駐車位置情報をその車の共同使用者に提供する駐車場情報提供システムは、駐車場に表示され、駐車場名と駐車位置と共同使用登録要求ＵＲＬとがバーコード情報化されてなるバーコードと、そのバーコードを撮影し、解読可能な利用者通信端末と、共同使用者通信端末と、それら利用者通信端末及び共同使用者通信端末とネットワークを介して接続された駐車場情報管理装置とによって構成され、駐車場情報管理装置は、利用者通信端末からの共同使用登録要求ＵＲＬへのアクセスにより、利用者通信端末に駐車位置情報と識別情報入力欄を送信する手段と、利用者通信端末から識別情報を受信すると、その識別情報と駐車位置情報とを組として登録する手段と、共同使用者通信端末からの検索要求により、共同使用者通信端末に識別情報入力欄を送信する手段と、共同使用者通信端末から識別情報を受信すると、その識別情報と組の駐車位置情報を共同使用者通信端末に送信する手段とを具備するものとされる。
【０００７】
この発明によれば、駐車場名と駐車位置と共同使用登録要求ＵＲＬとがバーコード情報化されてなるバーコードが表示された駐車場に利用者が停めた車の駐車位置情報をその車の共同使用者に提供する駐車場情報提供方法は、利用者通信端末がバーコードを撮影し、解読して共同使用登録要求ＵＲＬへアクセスする過程と、そのアクセスにより駐車場情報管理装置が利用者通信端末に駐車位置情報と識別情報入力欄を送信する過程と、利用者通信端末が駐車場情報管理装置に識別情報を送信する過程と、駐車場情報管理装置が受信した識別情報と駐車位置情報とを組として登録する過程と、共同使用者通信端末からの検索要求により、駐車場情報管理装置が共同使用者通信端末に識別情報入力欄を送信する過程と、共同使用者通信端末が駐車場情報管理装置に識別情報を送信する過程と、駐車場情報管理装置が受信した識別情報と組の駐車位置情報を共同使用者通信端末に送信する過程とを含む。
【０００８】
この発明によれば、駐車場名と駐車位置と共同使用登録要求ＵＲＬとがバーコード情報化されてなるバーコードが表示された駐車場に利用者が停めた車の駐車位置情報をその車の共同使用者の通信端末に送信する駐車場情報管理装置は、バーコードを撮影し、解読した利用者通信端末からの共同使用登録要求ＵＲＬへのアクセスにより、利用者通信端末に駐車位置情報と識別情報入力欄を送信する手段と、利用者通信端末から識別情報を受信すると、その識別情報と駐車位置情報とを組として登録する手段と、共同使用者通信端末からの検索要求により、共同使用者通信端末に識別情報入力欄を送信する手段と、共同使用者通信端末から識別情報を受信すると、その識別情報と組の駐車位置情報を共同使用者通信端末に送信する手段とを具備するものとされる。
【発明の効果】
【０００９】
この発明による駐車場情報提供システムによれば、１台の車を複数人で共同使用している場合に、車の共同使用者が駐車場に停めた車の駐車位置を他の共同使用者が的確かつ容易に知ることができ、よって車を探し回る必要がなくなる。
【発明を実施するための最良の形態】
【００１０】
この発明の実施形態を図面を参照して実施例により説明する。
図１はこの発明による駐車場情報提供システムのシステム構成例を示したものであり、この例では駐車場情報提供システム１００はバーコード１０と利用者通信端末２０と共同使用者通信端末３０と駐車場情報管理装置４０とによって構成されている。
バーコード１０はＱＲコードなどの２次元バーコードとされ、バーコード掲示板１１に掲示されて駐車場の所定の位置に表示される。バーコード１０の表示は各駐車位置（駐車スペース）毎でもよく、また駐車場の決められたブロック毎でもよい。なお、立体駐車場の場合は各パレット毎に表示される。図１ではバーコード１０をＱＲコードとして示している。
【００１１】
バーコード１０の有する情報内容は駐車場名と駐車位置と共同使用登録要求ＵＲＬであり、これらがバーコード情報化されている。なお、駐車位置は駐車位置番号とパレット番号（立体駐車場の場合）があり、駐車場の形態に応じて選択される。自走式駐車場の場合の情報内容の一例を下記に示す。
・駐車場名              ＝渋谷駐車場
・駐車位置番号          ＝１階Ａブロック
・共同使用登録要求ＵＲＬ＝http://www.pmo.co.jp/m/shibuya-p/sp-1fA.html
なお、立体駐車場の場合は駐車位置番号に替えてパレット番号とされ、例えば、
・パレット番号＝Ａ棟３２番
とされる。
【００１２】
駐車場情報管理装置４０は例えば駐車場とは別の駐車場情報管理センタに設置され、利用者通信端末２０及び共同使用者通信端末３０とネットワークを介して接続されている。駐車場情報管理装置４０はこの例では提供部４１、登録部４２、検索部４３、データベース部４４、時計部４５、制御部４６及び送受信部４７を備えるものとされる。
提供部４１は利用者通信端末２０からの共同使用登録要求ＵＲＬへのアクセスにより、駐車位置情報と識別情報入力欄と共同使用登録ＵＲＬとを利用者通信端末２０に送信する。駐車位置情報は図２（ａ）に示したように、例えばアクセス日時と駐車場名と駐車位置と駐車位置図とされる。提供部４１はデータベース部４４の共同使用登録要求ＵＲＬから駐車場名、駐車位置、駐車位置図及び共同使用登録ＵＲＬを取得する。また、時計部４５からアクセス日時を取得する。
【００１３】
識別情報入力欄は例えば下記とされる。
・識別情報入力欄＝使用者名［空欄］、車番［空欄］、パスワード［空欄］
そして、共同使用者端末３０からの駐車位置検索要求により、識別情報入力欄と共同使用登録検索入力ＵＲＬを共同使用者通信端末３０に送信する。
登録部４２は利用者通信端末２０から識別情報を受信すると、その識別情報（図２（ｂ）参照）と駐車位置情報とを組とし、共同使用情報（図２（ｃ）参照）としてデータベース部４４に登録格納する。
【００１４】
検索部４３は共同使用者通信端末３０からの検索要求により、共同使用者通信端末３０に識別情報入力欄を送信し、共同使用者通信端末３０から識別情報を受信すると、その受信した識別情報をもとに、データベース部４４に格納されている共同使用情報を検索し、その識別情報と組の駐車位置情報を取得して共同使用者通信端末３０に送信する。検索は識別情報のうち１つ又は複数の識別情報の一致により、その識別情報と組と判断し、その組の駐車位置情報を送信する。
【００１５】
データベース部４４には共同使用情報等の情報が記憶される。時計部４５は日時を計時し、日時情報を出力する。送受信部４７はネットワークを介して各種情報の入出力を行う。制御部４６は駐車場情報管理装置４０全体の制御を行う。
駐車場情報管理装置４０はコンピュータ装置によって構成できるものであり、ＲＯＭもしくはハードディスク装置等の記憶手段（図示せず）に記憶されているプログラムには、これから説明する駐車場情報提供システムにおける動作を実行するためのプログラムが含まれている。このプログラムはＣＤ−ＲＯＭ等の記録媒体に記録可能なものである。
【００１６】
一方、利用者通信端末２０及び共同使用者通信端末３０は例えば携帯電話機等の個人が携帯する機器とされる。利用者通信端末２０はこの例では操作入力部２１、表示部２２、撮影部２３、記憶部２４、制御部２５及び送受信部２６を備えるものとされる。
操作入力部２１は表示部２２に表示された情報の選択や各種情報の入力等、利用者通信端末２０を所持する利用者の指示を入力する。表示部２２は各種情報の表示を行う。撮影部２３はカメラを備え、画像情報を生成する。記憶部２４は各種情報を記憶する。送受信部２６はネットワークを介して各種情報の入出力を行う。制御部２５は利用者通信端末２０全体の制御を行う。なお、共同使用者通信端末３０も利用者通信端末２０と同様の構成とされ、操作入力部３１、表示部３２、撮影部３３、記憶部３４、制御部３５及び送受信部３６を備えるものとされる。
【００１７】
次に、上記のような構成を有する駐車場情報提供システム１００の動作について、図３に示したシーケンス図を参照して説明する。なお、ここではバーコード１０をＱＲコードとして説明する。
駐車場名、駐車位置及び共同使用登録要求ＵＲＬの情報を示すＱＲコードは予め駐車場の柱やパレット等、所定の位置に掲示されている。駐車場利用者は車を入庫し、駐車位置もしくは近くのＱＲコードを利用者通信端末２０で撮影する（ステップＳ１０１）。撮影されたＱＲコードは利用者通信端末２０で解読され、表示部２２に表示される（ステップＳ１０２）。例えば、
・駐車場名              ＝渋谷駐車場
・駐車位置番号          ＝１階Ａブロック
・共同使用登録要求ＵＲＬ＝http://www.pmo.co.jp/m/shibuya-p/sp-1fA.html
が表示部２２に表示される。
【００１８】
利用者は表示された共同使用登録要求ＵＲＬを操作入力部２１で選択し、共同使用登録要求ＵＲＬにアクセスする。これにより、利用者通信端末２０から駐車場情報管理装置４０に対し、共同使用登録の要求が行われることになる（ステップＳ１０３）。
【００１９】
共同使用登録の要求を受けた駐車場情報管理装置４０は利用者通信端末２０に駐車位置情報（例えば、アクセス日時＝２００６年１２月１２日１０時１５分、駐車場名＝渋谷駐車場、駐車位置番号＝１階Ａブロック（又はパレット番号＝Ａ棟３２番）、駐車位置図）と識別情報入力欄（使用者名［空欄］、車番［空欄］、パスワード［空欄］）とを送信すると共に、共同使用登録ＵＲＬ（例えば、http://www.pmo.co.jp/m/shibuya-p/kyodotoroku.html）を送信する（ステップＳ１０４）。
【００２０】
利用者は送信されてきた駐車位置情報と識別情報入力欄を利用者通信端末２０の表示部２２に表示すると共に、操作入力部２１を操作し、駐車場情報管理装置４０から送信されてきた識別情報の入力欄に識別情報を入力する（ステップＳ１０５）。入力が終了すると、利用者は共同使用登録ＵＲＬを操作入力部２１で選択し、共同使用登録ＵＲＬにアクセスする。そして、上記駐車位置情報と入力した識別情報（例えば、使用者名［ｐｍｏ］、車番［１３５６］、パスワード［２４７８］）を利用者通信端末２０から駐車場情報管理装置４０に送信する（ステップＳ１０６）。
【００２１】
駐車場情報管理装置４０は受信した駐車位置情報と識別情報とを組とし、共同使用情報として登録記憶する（ステップＳ１０７）。そして、共同使用情報の登録完了通知を利用者通信端末２０に送信する（ステップＳ１０８）。なお、この際、登録した共同使用情報も同時に利用者通信端末２０に送信する。利用者通信端末２０は受信した登録完了通知及び共同使用情報を表示部２２に表示すると共に、記憶部２４に記憶する（ステップＳ１０９）。
【００２２】
一方、駐車場に停められた車の共同使用者はその車の駐車位置を知りたい場合、所持する共同使用者通信端末３０から駐車場情報管理装置４０に対し、駐車位置の検索を要求する（ステップＳ１１０）。この要求は操作入力部３１によって共同使用登録検索要求ＵＲＬ（例えば、http://www.pmo.co.jp/m/kensaku.html）を入力して共同使用登録検索要求ＵＲＬにアクセスすることによって行われる。なお、共同使用者はこのＵＲＬを駐車場情報管理装置４０の管理者が提供したり、ホームページ上で提供することで事前に知って、共同使用者通信端末３０にインストールしているものとする。
【００２３】
共同利用者通信端末３０から駐車位置の検索要求を受けた駐車場情報管理装置４０は上記ステップＳ１０４の場合と同様の識別情報入力欄と共同使用登録検索入力ＵＲＬとを共同使用者通信端末３０に送信する（ステップＳ１１１）。
【００２４】
共同使用者は送信されてきた識別情報入力欄と共同使用登録検索入力ＵＲＬを共同使用者通信端末３０の表示部３２に表示すると共に、操作入力部３１を操作し、駐車場情報管理装置４０から送信されてきた識別情報の入力欄に識別情報を入力する（ステップＳ１１２）。入力が終了すると、共同使用者は共同使用登録検索入力ＵＲＬを操作入力部３１で選択し、共同使用登録検索入力ＵＲＬにアクセスする。入力された識別情報（例えば、使用者名［ｐｍｏ］、車番［１３５６］、パスワード［２４７８］）が共同使用者通信端末３０から駐車場情報管理装置４０に送信される（ステップＳ１１３）。
【００２５】
駐車場情報管理装置４０は受信した識別情報をもとに共同使用情報を検索し（ステップＳ１１４）、例えば使用者名が一致するとか、アクセスの安全性を増すために使用者名、車番及びパスワードが一致するとか、１つ又は複数の識別情報が一致すると、その識別情報と組の駐車位置情報を共同利用者通信端末３０に送信する（ステップＳ１１５）。送信された駐車位置情報は共同利用者通信端末３０の表示部３２に表示されると共に記憶部３４に記憶される（ステップＳ１１６）。共同使用者は表示部３２に表示された駐車位置情報により、車の駐車位置を知ることができる。
【００２６】
このように、この例によれば１台の車を複数人で共同使用する場合、車を駐車場に停めた利用者が駐車位置情報を登録し、それを他の共同使用者が識別情報により安全に、かつ的確に検索できるものとなっており、これにより駐車位置を容易に確認することができ、例えば車を探し回る手間を省くことができる。
【００２７】
なお、利用者はステップＳ１０９で利用者通信端末２０に表示、記憶された共同使用情報のうちの駐車位置情報を直接、共同使用者通信端末３０に送信することもできる（ステップＳ１２０）。
上述した例ではバーコード１０が有する情報を共同使用登録要求ＵＲＬとし、この共同使用登録要求ＵＲＬに利用者通信端末２０がアクセスすることにより、利用者通信端末２０が駐車場情報管理装置４０から共同使用登録ＵＲＬを受信するものとなっているが、例えばバーコード１０の有する情報を共同使用登録ＵＲＬとしてもよい。この場合、利用者は利用者通信端末２０から共同使用登録ＵＲＬにアクセスして識別情報を送信すればよく、上記ステップＳ１０３、Ｓ１０４を省略することができる。識別情報の入力は例えば共同使用登録ＵＲＬと識別情報入力欄を自動的にリンクするアプリケーションプログラムを予め利用者通信端末２０に組み込み、起動することで可能となる。
【００２８】
同様に、共同使用者通信端末３０が共同使用登録検索要求ＵＲＬにアクセスすることにより、共同使用者通信端末３０が駐車場情報管理装置４０から共同使用登録検索入力ＵＲＬを受信するものとなっているが、共同使用者は共同使用者通信端末３０から共同使用登録検索入力ＵＲＬに直接アクセスして識別情報を送信するようにしてもよく、この場合、上記ステップＳ１１０、Ｓ１１１を省略することができる。識別情報の入力は共同使用登録検索入力ＵＲＬ及び識別情報入力欄を起動するアプリケーションプログラムを予め共同使用者通信端末３０に組み込み、起動することで可能となる。
【００２９】
ところで、駐車場を一度利用した利用者はその駐車場が感じが良かったり、駐車し易かったり、安心感がある場合に、その駐車場を知人に知らせたい場合があるものの、駐車場の場所を知らせるのは面倒であり、加えて駐車場のサービス情報なども知らせるとなると、極めて面倒となり、知人に知らせることが行われず、つまり口込みによる駐車場利用の促進が図られない状況にあった。
【００３０】
このような状況に鑑み、駐車場の利用を促進させることができる駐車場情報提供システムについて次に説明する。
図４は駐車場を利用した利用者の要求により駐車場情報と割引サービス券情報とを利用者が指定する通信端末に転送する駐車場情報提供システムのシステム構成例を示したものであり、この例では駐車場情報提供システム２００はバーコード１０と利用者通信端末２０，３０と駐車場情報管理装置４０とによって構成されている。利用者通信端末３０は利用者が駐車場を知らせたい知人が所持する通信端末（転送先通信端末）とする。なお、図４においては利用者が割引サービスを利用する際の処理を行うデータ管理装置５０も合わせて示している。割引サービス券情報とは駐車場が発行する割引サービスであって、駐車料金、ポイント、クーポンなどが含まれる。
【００３１】
バーコード１０はＱＲコードなどの２次元バーコードとされ、バーコード掲示板１１に掲示されて駐車場の柱やパレット等、所定の位置に表示される。図４ではバーコード１０をＱＲコードとして示している。バーコード１０の有する情報内容は駐車場名とサービス情報要求ＵＲＬであり、これらがバーコード情報化されている。
【００３２】
駐車場情報管理装置４０は例えば駐車場とは別の駐車場情報管理センタに設置され、利用者通信端末２０，３０とネットワークを介して接続されている。駐車場情報管理装置４０はこの例では提供部４１、登録部４２、データベース部４４、時計部４５、制御部４６及び送受信部４７を備えるものとされる。
【００３３】
提供部４１は利用者通信端末２０からのサービス情報要求ＵＲＬへのアクセスにより、割引サービス券情報ＵＲＬを利用者通信端末２０に送信する。そして、利用者通信端末２０からの割引サービス券情報ＵＲＬへのアクセスにより、割引サービス券情報と転送先メールアドレス入力欄を利用者通信端末２０に送信し、利用者通信端末２０から転送先メールアドレスを受信すると、駐車場情報と割引サービス券情報とをその転送先メールアドレスの利用者通信端末（転送先通信端末）３０に送信する。
【００３４】
登録部４２は利用者通信端末２０から転送先メールアドレスを受信した際に、割引サービス券情報と共に、転送元、転送先メールアドレスを登録情報として登録する。
データベース部４４には上記登録情報等が記憶される。時計部４５は日時を計時し、日時情報を出力する。送受信部４７はネットワークを介して各種情報の入出力を行う。制御部４６は駐車場情報管理装置４０全体の制御を行う。
【００３５】
一方、利用者通信端末２０，３０は例えば携帯電話機等の個人が携帯する機器とされる。利用者通信端末２０はこの例では操作入力部２１、表示部２２、撮影部２３、記憶部２４、制御部２５及び送受信部２６を備えるものとされる。
【００３６】
操作入力部２１は表示部２２に表示された情報の選択や各種情報の入力等、利用者通信端末２０を所持する利用者の指示を入力する。表示部２２は各種情報の表示を行う。撮影部２３はカメラを備え、画像情報を生成する。記憶部２４は各種情報を記憶する。送受信部２６はネットワークを介して各種情報の入出力を行い、また赤外線通信機能など無線通信機能を有するものとされる。制御部２５は利用者通信端末２０全体の制御を行う。なお、利用者通信端末３０も利用者通信端末２０と同様の構成とされ、操作入力部３１、表示部３２、撮影部３３、記憶部３４、制御部３５及び送受信部３６を備えるものとされる。
【００３７】
次に、上記のような構成を有する駐車場情報提供システム２００の動作について、図５に示したシーケンス図を参照して説明する。なお、ここではバーコード１０をＱＲコードとして説明する。
【００３８】
駐車場名及びサービス情報要求ＵＲＬの情報を示すＱＲコードは予め駐車場の所定の位置に掲示されている。駐車場利用者Ａは車を入庫し、ＱＲコードを利用者通信端末２０で撮影する（ステップＳ２０１）。なお、ＱＲコードの撮影は入庫時に限らず、例えば出庫時であってもよい。撮影されたＱＲコードは利用者通信端末２０で解読され、表示部２２に表示される（ステップＳ２０２）。
【００３９】
利用者Ａは表示されたサービス情報要求ＵＲＬを操作入力部２１で選択し、サービス情報要求ＵＲＬにアクセスする。これにより、利用者通信端末２０から駐車場情報管理装置４０に対し、サービス情報の要求が行われることになる（ステップＳ２０３）。
サービス情報の要求を受けた駐車場情報管理装置４０は利用者通信端末２０に割引サービス券情報ＵＲＬを折り返し送信する（ステップＳ２０４）。この割引サービス券情報ＵＲＬは有効期限が設定されており、有効期限を過ぎるとアクセス不可となる。
【００４０】
割引サービス券情報ＵＲＬは利用者通信端末２０の表示部２２に表示され（ステップＳ２０５）、利用者Ａは操作入力部２１でこのＵＲＬを選択し、割引サービス券情報ＵＲＬにアクセスする。これにより、利用者通信端末２０から駐車場情報管理装置４０に対し、割引サービス券情報の要求が行われることになる（ステップＳ２０６）。
割引サービス券情報の要求を受けた駐車場情報管理装置４０はこの例では割引サービス券情報と駐車場情報ＵＲＬと転送先メールアドレス入力欄を利用者通信端末２０に送信する（ステップＳ２０７）。割引サービス券情報は例えば割引サービス引換券とその管理番号を含むものとされる。
【００４１】
利用者通信端末２０は送信されてきた割引サービス券情報、駐車場情報ＵＲＬ及び転送先メールアドレス入力欄を表示部２２に表示すると共に、記憶部２４に記憶する（ステップＳ２０８）。利用者Ａが駐車場を知人等、他の利用者Ｂに紹介したい時は、転送先メールアドレス入力欄にその他の利用者Ｂが所持する利用者通信端末（転送先通信端末）３０のメールアドレスを入力し（ステップＳ２０９）、駐車場情報管理装置４０に転送を要求する（ステップＳ２１０）。転送を要求された駐車場情報管理装置４０は割引サービス券情報、駐車場情報ＵＲＬ、転送元及び転送先メールアドレスを登録する（ステップＳ２１１）。そして、転送スタンプを生成する（ステップＳ２１２）。転送スタンプは上記登録情報と組にしてデータベース部４４に記憶される。転送スタンプの内容は例えば発行日時、利用期限、転送管理番号、転送印章などとする。
【００４２】
駐車場情報管理装置４０は駐車場情報ＵＲＬと転送スタンプ割引サービス券情報を転送先の利用者通信端末３０に送信する（ステップＳ２１３）。転送された駐車場情報ＵＲＬ及び転送スタンプ割引サービス券情報は利用者通信端末３０の表示部３２に表示されると共に記憶部３４に記憶される（ステップＳ２１４）。
【００４３】
転送を受けた利用者Ｂが駐車場情報を入手したい時は駐車場情報ＵＲＬを操作入力部３１で選択し、駐車場情報ＵＲＬにアクセスする。これにより利用者通信端末３０から駐車場情報管理装置４０に駐車場情報の要求が行われ（ステップＳ２１５）、駐車場情報管理装置４０は駐車場情報を利用者通信端末３０に送信し（ステップＳ２１６）、送信された駐車場情報は利用者通信端末３０の表示部３２に表示されると共に、記憶部３４に記憶される（ステップＳ２１７）。駐車場情報は例えば料金、駐車台数、駐車場の場所等の情報を含むものとする。なお、利用者Ｂが駐車場の場所等を知っており、駐車場情報が不要な場合にはステップＳ２１５〜Ｓ２１７は実行されない。
【００４４】
利用者Ｂが駐車場を利用し、割引サービスを受ける場合は駐車場の係員に申し出て駐車場に設置されているデータ管理装置５０に例えば赤外線通信で転送スタンプ割引サービス券情報を送信する（ステップＳ２１８）。データ管理装置５０は図４に示したように撮影部５１、赤外線通信部５２、データベース部５３及びこれらを制御する制御部５４を具備するものとされ、この例では転送スタンプ割引サービス券情報が赤外線通信部５２で受信されて、その受信された転送スタンプ割引サービス券情報がデータベース部５３に記憶される（ステップＳ２１９）。その後、係員は利用者Ｂに割引サービス券を渡し、利用者Ｂは出場する時、精算機に駐車券とこの割引サービス券を挿入する。これにより、割引された料金で精算され、利用者Ｂは出場することができる。
【００４５】
なお、利用者Ａ自身が割引サービスを受ける場合は上記の場合と同様、駐車場の係員に申し出てデータ管理装置５０に赤外線通信で割引サービス券情報を送信する（ステップＳ２２０）。受信された割引サービス券情報はデータ管理装置５０に記憶される（ステップＳ２２１）。その後、係員は利用者Ａに割引サービス券を渡し、利用者Ａは出場する時、精算機に駐車券とこの割引サービス券を挿入する。これにより、割引された料金で精算され、利用者Ａは出場することができる。
【００４６】
上述した駐車場情報提供システム２００によれば、駐車場情報（駐車場情報ＵＲＬ）と割引サービス券情報とが利用者が指定するメールアドレスに転送され、つまり利用者が気に入った駐車場やその駐車場のサービス情報を知人に簡単かつ的確に知らせることができるものとなっており、これにより駐車場の利用を促進させることができる。なお、転送された駐車場のサービスは通常のサービスよりメリットがあるように設定すれば、より効果的である。
また、割引サービス券情報を利用者通信端末２０から利用者通信端末（転送先通信端末）３０へ転送する場合に、駐車場情報管理装置４０を経由して配信され、この履歴を駐車場情報管理装置４０がデータベース部４４に記憶し、利用者が割引サービスを利用した場合には利用履歴がデータ管理装置５０のデータベース部５３に記憶されるようにする。このようにすることで、利用者へ発行され、かつ転送された割引サービス券情報と、利用された割引サービス券情報をマーケティング情報として活用することができる。
【００４７】
なお、上述した例ではバーコード１０が有する情報をサービス情報要求ＵＲＬとし、このサービス情報要求ＵＲＬに利用者通信端末２０がアクセスすることにより、利用者通信端末２０が駐車場情報管理装置４０から割引サービス券情報ＵＲＬを受信するものとなっているが、例えばバーコード１０の有する情報を割引サービス券情報ＵＲＬとしてもよい。この場合、利用者は利用者通信端末２０から直接割引サービス券情報ＵＲＬにアクセスすることができ、上記ステップＳ２０３〜Ｓ２０５を省略することができる。
【００４８】
図６は割引サービス券情報に替えて、割引サービス引換券とその管理番号の情報を有するＱＲコードが駐車場情報管理装置４０から送信されるようにした場合のシーケンス図を示したものであり、図５のシーケンス図と対応するステップには同一ステップＮｏ．を付してある。
【００４９】
この例ではステップＳ２０７’で上述したＱＲコードと駐車場情報ＵＲＬと転送先メールアドレス入力欄が駐車場情報管理装置４０から利用者通信端末２０に送信され、またステップＳ２１３’では駐車場情報ＵＲＬと転送スタンプＱＲコードとが駐車場情報管理装置４０から利用者通信端末３０に送信される。このように割引サービス券情報の送信に替えて、その情報を含むＱＲコードを送信するようにしてもよい。また、割引サービス券情報の送信に加え、その情報を含むＱＲコードも送信するようにしてもよい。
【００５０】
転送スタンプＱＲコードの転送を受けた利用者Ｂが駐車場を利用し、割引サービスを受ける場合は駐車場の係員に申し出て、利用者通信端末３０の表示部３２に表示させた転送スタンプＱＲコードをデータ管理装置５０に提示し（ステップＳ２１８’）、読み取らせる（ステップＳ２３０）。データ管理装置５０の撮影部５１は転送スタンプＱＲコードを撮影、解読し、その情報をデータベース部５３に記憶する（ステップＳ２１９）。その後、係員は利用者Ｂに割引サービス券を渡す。なお、利用者Ａ自身が割引サービスを受ける場合には上記ステップＳ２１８’，Ｓ２３０，Ｓ２１９と同様に、ステップＳ２２０’，Ｓ２３１，Ｓ２２１が実行される。
【００５１】
ところで、駐車場の精算機が例えばＱＲコードの読み取りが可能であれば、上述したように駐車場のデータ管理装置５０がＱＲコードを読み取った後に係員が割引サービス券を渡すといったことを行わなくてもよく、つまり割引サービス券を発行しなくても処理することができるものとなる。
図７はこのように割引サービス券の発行を不要としたシステム構成例を示したものであり、この例では駐車場に設置されている精算機６０は撮影部６１、赤外線通信部６２、制御部６３及び送受信部６４を具備するものとされ、データ管理装置５０と通信接続されている。なお、図４と対応する部分には同一符号を付してある。
【００５２】
一方、図８はこの場合のシーケンス図を示したものであり、図６のシーケンス図と対応するステップには同一ステップＮｏ．を付してある。
この例では転送スタンプＱＲコードの転送を受けた利用者Ｂが駐車場を利用し、割引サービスを受ける場合には利用者通信端末３０の表示部３２に表示させた転送スタンプＱＲコードを出場時、精算機６０に提示し（ステップＳ２１８’）、読み取らせる（ステップＳ２４１）。精算機６０の撮影部６１は転送スタンプＱＲコードを撮影、解読する。精算機６０は読み取った情報（割引サービス券情報）をもとに、料金を自動的に割引き、精算する（ステップＳ２４２）。なお、読み取った情報はデータ管理装置５０に送信されて記憶処理される（ステップＳ２４４）。
このように、この例によれば割引サービス券を発行しなくても処理することができる。
【００５３】
ところで、料金の割引サービスや無料サービスといった駐車場のサービスは例えば駐車場の提携店で２０００円の買い物をすると１時間の駐車料金を割引くというように提携店の利用に応じて受けられるのが現状である。一方、駐車場提携店のイベントなど販売促進（以下、販促と言う。）では一般に提携店単独で行われている。しかるに、駐車場があるということが顧客にとっては大きな魅力であり、提携店の販促情報と共に駐車場サービス情報を顧客に配信するようにすれば、販促に有効となり、また駐車場の利用を促進させることができる。
【００５４】
以下、このように駐車場を利用し易くし、かつ提携店の販促にも有効となる駐車場情報提供システムについて説明する。
図９はこのような駐車場情報提供システムのシステム構成例を示したものであり、この例では駐車場情報提供システム３００は駐車場情報管理装置４０と提携店情報管理装置７０と顧客通信端末２０とによって構成されている。なお、図９においては顧客が駐車場でサービスを受ける際の処理を行うデータ管理装置５０も合わせて示している。
【００５５】
駐車場情報管理装置４０は例えば駐車場とは別の駐車場情報管理センタに設置され、提携店情報管理装置７０及び顧客通信端末２０とネットワークを介して接続されている。駐車場情報管理装置４０はこの例では提供部４１、データベース部４４、制御部４６及び送受信部４７を備えるものとされる。
【００５６】
提供部４１は提携店情報管理装置７０に駐車場サービス情報を送信する。また、顧客通信端末２０からの上記駐車場サービス情報に含まれる駐車場情報ＵＲＬ及び割引サービス券情報ＵＲＬ等へのアクセスにより、駐車場情報及び割引サービス券情報等をそれぞれ顧客通信端末２０に送信する。
【００５７】
データベース部４４には上記駐車場情報及び割引サービス券情報等が記憶されている。送受信部４７はネットワークを介して各種情報の入出力を行う。制御部４６は駐車場情報管理装置４０全体の制御を行う。
【００５８】
提携店情報管理装置７０は例えば提携店情報管理センタに設置され、この例ではデータベース部７１と制御部７２と送受信部７３とを備えるものとされる。データベース部７１には提携店情報が記憶されている。提携店情報は販促情報（セール案内、買得情報、イベント案内等）、顧客情報（クレジットカード会員、ポイントカード会員、メールマガジン会員等のデータ）など提携店が提供し、また所有する情報である。送受信部７３はネットワークを介して各種情報の入出力を行う。制御部７２は提携店情報管理装置７０全体の制御を行う。
【００５９】
一方、顧客通信端末２０は例えば提携電話機等の個人が携帯する機器とされる。顧客通信端末２０はこの例では操作入力部２１、表示部２２、撮影部２３、記憶部２４、制御部２５及び送受信部２６を備えるものとされる。
操作入力部２１は表示部２２に表示された情報の選択や各種情報の入力等、顧客通信端末２０を所持する顧客の指示を入力する。表示部２２は各種情報の表示を行う。撮影部２３はカメラを備え、画像情報を生成する。記憶部２４は各種情報を記憶する。送受信部２６はネットワークを介して各種情報の入出力を行い、また赤外線通信機能を有するものとされる。制御部２５は顧客通信端末２０全体の制御を行う。
【００６０】
次に、上記のような構成を有する駐車場情報提供システム３００の動作について、図１０に示したシーケンス図を参照して説明する。
予め、駐車場情報管理装置４０は駐車場サービス情報として、駐車場情報ＵＲＬと割引サービス券情報ＵＲＬ（有効期限を設定したもの）を提携店情報管理装置７０に送信する（ステップＳ３０１）。送信された駐車場情報ＵＲＬと割引サービス券情報ＵＲＬは提携店情報管理装置７０のデータベース部７１に記憶される（ステップＳ３０２）。
【００６１】
提携店のイベントなどで提携店の顧客１〜Ｎに例えばメールマガジンを配信する時、提携店の販促情報と共に駐車場情報ＵＲＬと割引サービス券情報ＵＲＬを駐車場サービス情報として顧客通信端末２０−１〜２０−Ｎに配信する（ステップＳ３０３）。配信された販促情報と駐車場サービス情報は顧客通信端末２０−１〜２０−Ｎの表示部２２に表示されると共に記憶部２４に記憶される（ステップＳ３０４）。
【００６２】
例えば、顧客１が駐車場情報を入手したい時は駐車場情報ＵＲＬを操作入力部２１で選択し、駐車場情報ＵＲＬにアクセスする。これにより顧客通信端末２０−１から駐車場情報管理装置４０に駐車場情報の要求が行われ（ステップＳ３０５）、駐車場情報管理装置４０は駐車場情報を顧客通信端末２０−１に送信する（ステップＳ３０６）。駐車場情報は例えば料金、駐車台数、駐車場の場所等の情報を含むものとする。
【００６３】
また、顧客１が駐車場の割引サービス券情報を入手したい時は割引サービス券情報ＵＲＬを操作入力部２１で選択し、割引サービス券情報ＵＲＬにアクセスする。これにより顧客通信端末２０−１から駐車場情報管理装置４０に割引サービス券情報の要求が行われ（ステップＳ３０７）、駐車場情報管理装置４０は割引サービス券情報（割引サービス引換券とその管理番号を含む）を顧客通信端末２０−１に送信する（ステップＳ３０８）。これら送信された駐車場情報及び割引サービス券情報は顧客通信端末２０−１の表示部２２に表示されると共に、記憶部２４に記憶される（ステップＳ３０９）。なお、顧客１が駐車場の場所等を知っており、駐車場情報が不要な場合にはステップＳ３０５，Ｓ３０６は実行されない。
【００６４】
顧客１が駐車場を利用し、割引サービスを受ける場合は駐車場の係員に申し出て駐車場に設置されているデータ管理装置５０に例えば赤外線通信で割引サービス券情報を送信する（ステップＳ３１０）。データ管理装置５０は図９に示したように撮影部５１、赤外線通信部５２、データベース部５３及びこれらを制御する制御部５４を具備するものとされ、この例では割引サービス券情報が赤外線通信部５２で受信されて、その受信された割引サービス券情報がデータベース部５３に記憶される（ステップＳ３１１）。その後、係員は顧客１に割引サービス券を渡し、顧客１は出場する時、精算機に駐車券とこの割引サービス券を挿入する。これにより、割引された料金で精算され、顧客１は出場することができる。
【００６５】
なお、上記においては割引サービス券情報が駐車場情報管理装置４０から顧客通信端末２０−１に送信されるものとなっているが、これに替え、割引サービス引換券とその管理番号の情報を有するＱＲコードを駐車場情報管理装置４０から送信するようにしてもよい。この場合、顧客１は顧客通信端末２０−１の表示部２２に表示させたＱＲコードをデータ管理装置５０に提示し、その撮影部５１に撮影、解読させる。
【００６６】
上記においては顧客１は駐車場で駐車料金の割引サービスを受けるものとなっているが、例えば提携店で割引サービスを受けられるようにすることもできる。この場合、提携店で割引サービス情報を提携店情報管理装置７０に送信する（ステップＳ３１２）。これにより、例えば提携店の販売商品に対して割引サービスを受けることができる。なお、受信された割引サービス券情報は提携店情報管理装置７０のデータベース部７１に記憶される（ステップＳ３１３）。
【００６７】
このように、提携店の顧客に例えばメールマガジンなどで販促情報と共に駐車場のサービス情報を配信することで、駐車場の利用を促進させることができ、また販促にも有効となる。加えて、駐車場の割引サービス券が提携店の商品の割引に対して利用できる新しいサービスが可能となる。なお、例えば駐車場のオープン時等、駐車場の利用者が少ない時に顧客に配信するようにすれば、効率良く集客することが可能となる。
【００６８】
次に、駐車場利用者に対し、駐車経過時間と駐車位置画像（駐車のリアル画像）を知らせる駐車場情報提供システムについて説明する。
図１１はこのような駐車経過時間と駐車のリアル画像を通知する駐車場情報提供システムのシステム構成例を示したものであり、この例では駐車場情報提供システム４００はバーコード１０と利用者通信端末２０と駐車場情報管理装置４０と駐車位置撮像装置８０とによって構成されている。
【００６９】
バーコード１０はＱＲコードなどの２次元バーコードとされ、バーコード掲示板１１に掲示されて駐車場の柱やパレット等、所定の位置に表示される。図１１ではバーコード１０をＱＲコードとして示している。バーコード１０の有する情報内容は駐車場名と駐車位置と駐車経過時間登録要求ＵＲＬであり、これらがバーコード情報化されている。なお、駐車位置は駐車位置番号とパレット番号（立体駐車場の場合）があり、駐車場の形態に応じて選択される。駐車場名及び駐車位置番号、パレット番号の情報内容の一例を下記に示す。
・駐車場名    ＝渋谷駐車場
・駐車位置番号＝１階Ａブロック
・パレット番号＝Ａ棟３２番
駐車場情報管理装置４０は例えば駐車場とは別の駐車場情報管理センタに設置され、利用者通信端末２０及び駐車位置撮像装置８０とネットワークを介して接続されている。駐車場情報管理装置４０はこの例では提供部４１、登録部４２、計算部４８、データベース部４４、時計部４５、制御部４６及び送受信部４７を備えるものとされる。
【００７０】
提供部４１は利用者通信端末２０からの駐車経過時間登録要求ＵＲＬへのアクセスにより、利用者通信端末２０に駐車位置情報を送信すると共にメールアドレスと通知条件の入力を要求する（入力欄を送信する）。駐車位置情報は例えばアクセス日時と駐車場名と駐車位置と駐車位置図とされ、提供部４１は駐車経過時間登録要求ＵＲＬからデータベース部４４の駐車場名、駐車位置及び駐車位置図を取得する。また、時計部４５からアクセス日時を取得する。
【００７１】
メールアドレス及び通知条件の入力欄は例えば下記とされる。
・メールアドレス［空欄］
・通知条件
アラーム時間選択［チェック欄］
リアル画像配信＝車番［空欄］、車室番号［空欄］、在車検知［チェック欄］
解除時間入力・解除設定［チェック欄］
また、提供部４１は利用者通信端末２０より入力された通知条件に応じて経過時間、料金、リアル画像を利用者通信端末２０に送信する。
【００７２】
登録部４２は利用者通信端末２０からメールアドレス及び通知条件を受信すると、それらをデータベース部４４に登録格納する。また、登録部４２は駐車位置撮像装置８０から受信したリアル画像をデータベース部４４に登録格納する。
【００７３】
計算部４８は経過時間と料金を計算する。データベース部４４にはメールアドレス、通知条件等の情報が記憶される。時計部４５は日時を計時し、日時情報を出力する。送受信部４７はネットワークを介して各種情報の入出力を行う。制御部４６は駐車場情報管理装置４０全体の制御を行う。
【００７４】
駐車位置撮像装置８０は駐車場の所定の位置に設置され、駐車位置をリアルタイムに撮影することができ、駐車位置画像（リアル画像）を駐車場情報管理装置４０に送信する。駐車位置撮像装置８０はこの例では撮影部８１、データベース部８２、制御部８３及び送受信部８４を備えるものとされる。
【００７５】
一方、利用者通信端末２０は例えば携帯電話機等の個人が携帯する機器とされる。利用者通信端末２０はこの例では操作入力部２１、表示部２２、撮影部２３、記憶部２４、制御部２５及び送受信部２６を備えるものとされる。
操作入力部２１は表示部２２に表示された情報の選択や各種情報の入力等、利用者通信端末２０を所持する利用者の指示を入力する。表示部２２は各種情報の表示を行う。撮影部２３はカメラを備え、画像情報を生成する。記憶部２４は各種情報を記憶する。送受信部２６はネットワークを介して各種情報の入出力を行う。制御部２５は利用者通信端末２０全体の制御を行う。
【００７６】
次に、上記のような構成を有する駐車場情報提供システム４００の動作について、図１２に示したシーケンス図を参照して説明する。なお、ここではバーコード１０をＱＲコードとして説明する。また、駐車位置撮像装置８０については図示（記載）を省略している。
【００７７】
駐車場名、駐車位置及び駐車経過時間登録要求ＵＲＬの情報を示すＱＲコードは予め駐車場の柱やパレット等、所定の位置に掲示されている。駐車場利用者は車を入庫し、駐車位置もしくは近くのＱＲコードを利用者通信端末２０で撮影する（ステップＳ４０１）。撮影されたＱＲコードは利用者通信端末２０で解読され、表示部２２に表示される（ステップＳ４０２）。
【００７８】
利用者は表示された駐車経過時間登録要求ＵＲＬを操作入力部２１で選択し、駐車経過時間登録要求ＵＲＬにアクセスする。これにより、利用者通信端末２０から駐車場情報管理装置４０に対し、駐車経過時間登録の要求が行われることになる（ステップＳ４０３）。
【００７９】
駐車経過時間登録の要求を受けた駐車場情報管理装置４０は利用者通信端末２０に駐車位置情報（例えば、アクセス日時＝２００６年１２月１２日１０時１５分、駐車場名＝渋谷駐車場、駐車位置番号＝１階Ａブロック（又はパレット番号＝Ａ棟３２番）、駐車位置図）と、メールアドレス入力欄（メールアドレス［空欄］）と、通知条件入力欄（アラーム時間選択［チェック欄］、リアル画像配信＝車番［空欄］、車室番号［空欄］、在車検知［チェック欄］、解除時間入力・解除設定［チェック欄］）とを送信すると共に、駐車経過時間登録ＵＲＬを送信する（ステップＳ４０４）。
【００８０】
利用者は利用者通信端末２０の操作入力部２１を操作し、駐車場情報管理装置４０から送信されてきたメールアドレス入力欄にメールアドレスを入力し、通知条件入力欄に通知条件を入力する（ステップＳ４０５）。入力が終了すると、利用者は駐車経過時間登録ＵＲＬを操作入力部２１で選択し、駐車経過時間登録ＵＲＬにアクセスする。そして、上記駐車位置情報と入力したメールアドレス及び通知条件を送信する（ステップＳ４０６）。例えば、
メールアドレス［pmo@pmo.co.jp］
アラーム時間選択［３０分間］
リアル画像配信＝車番［１３５６］、車室番号［８７］、在車検知［チェック］
が送信される。
【００８１】
駐車場情報管理装置４０は受信したメールアドレスと通知条件を登録記憶する（ステップＳ４０７）。そして、登録完了通知を利用者通信端末２０に送信する（ステップＳ４０８）。利用者通信端末２０は受信した登録完了通知を表示部２２に表示すると共に、記憶部２４に記憶する（ステップＳ４０９）。
【００８２】
駐車場情報管理装置４０はアラーム時間選択により設定された一定時間毎に、経過時間と料金を算出し、また駐車位置撮像装置８０からリアル画像を取り込む。そして、登録されているメールアドレスの利用者通信端末２０に経過時間情報（経過時間と料金とリアル画像と解除時間入力・解除設定［チェック欄］）を送信する（ステップＳ４１０）。例えば、駐車料金３０分２００円の駐車場で上記通知条件が設定されているとすると、３０分経過する毎に料金２００円アップの計算部４８で計算した結果と車番１３５６、車室８７のリアル画像をpmo@pmo.co.jpのメールアドレスに送信する。利用者通信端末２０は受信した経過時間情報を表示部２２に表示すると共に、記憶部２４に記憶する（ステップＳ４１１）。
【００８３】
解除したい時は解除時間入力・解除設定欄をチェックし、駐車場情報管理装置４０に送信して解除を要求する（ステップＳ４１２）。駐車場情報管理装置４０は解除条件を登録し（ステップＳ４１３）、利用者通信端末２０に登録が完了したことを通知する（ステップＳ４１４）。利用者通信端末２０は受信した解除の登録通知を表示部２２に表示すると共に、記憶部２４に記憶する（ステップＳ４１５）。
【００８４】
上述したシーケンスではステップＳ４０５において解除時間入力が行われず、ステップＳ４１２において解除要求が行われるものとなっているが、ステップＳ４０５において例えば解除時間入力が行われた場合にはステップＳ４１２〜Ｓ４１５は不要となる。なお、解除条件を変更したい場合はステップＳ４１２〜Ｓ４１５が実行されることになる。また、解除時間入力・解除設定で［チェック欄］と共に［時間入力欄］を設けてもよい。例えば、時間入力欄に［１２０］分を入力すると１２０分後に解除される。
【００８５】
このようにこの例によれば利用者が指定した一定時間（アラーム時間）が経過する毎に駐車経過時間と料金とリアル画像が配信されるものとなっており、駐車経過時間や料金を利用者は容易に把握でき、その点で利用者の利便性が向上する。また、自分の車のリアル画像が配信されることで利用者は安心感を得られるものとなる。なお、在車検知欄をチェックすることにより、一定時間内に在車がなければアラーム表示が行われることになる。
【図面の簡単な説明】
【００８６】
【図１】この発明による駐車場情報提供システムの一実施例の構成を示す図。
【図２】（ａ）は駐車位置情報を示す図、（ｂ）は識別情報を示す図、（ｃ）は共同使用情報を示す図。
【図３】図１に示した駐車場情報提供システムの動作を説明するためのシーケンス図。
【図４】駐車場情報と割引サービス券情報の転送サービスを可能とする駐車場情報提供システムの構成例を示す図。
【図５】図４に示した駐車場情報提供システムの動作の一例を説明するためのシーケンス図。
【図６】図４に示した駐車場情報提供システムの動作の他の例を説明するためのシーケンス図。
【図７】図４に示した駐車場情報提供システムにおいて割引サービス券を発行しなくても処理できるようにした構成を示す図。
【図８】図７に示した駐車場情報提供システムの動作を説明するためのシーケンス図。
【図９】駐車場の利用促進及び提携店の販促を可能とする駐車場情報提供システムの構成例を示す図。
【図１０】図９に示した駐車場情報提供システムの動作を説明するためのシーケンス図。
【図１１】駐車経過時間の通知を可能とする駐車場情報提供システムの構成例を示す図。
【図１２】図１１に示した駐車場情報提供システムの動作を説明するためのシーケンス図。
【図１】
2008234456.tif 000003
【図２】
2008234456.tif 000004
【図３】
2008234456.tif 000005
【図４】
2008234456.tif 000006
【図５】
2008234456.tif 000007
【図６】
2008234456.tif 000008
【図７】
2008234456.tif 000009
【図８】
2008234456.tif 000010
【図９】
2008234456.tif 000011
【図１０】
2008234456.tif 000012
【図１１】
2008234456.tif 000013
【図１２】
2008234456.tif 000014